(57)【要約】【課題】  開放位置に回動してストッパーに当接している蓋に対して閉止方向と逆方向に回動させる向きの力が作用した場合において、蓋の回動支点部の破損を防止する。【解決手段】  電気掃除機１の本体ケース２に設けられ、集塵室３を閉止する閉止位置と集塵室を開放する開放位置とに回動可能に設けられた蓋６の両側には、本体ケース２に設けられた一対の軸受９に回動可能に嵌合される支点軸１２を有する。軸受９は一部に開口部１１を有して可撓性を有するＣリング形状に形成され、開放位置へ回動してストッパー７に当接している蓋６に対して閉止方向と逆方向に回動させる向きの力が作用したとき、蓋６とストッパー７との当接箇所を支点として移動する支点軸１２により押圧された軸受９の開口部１１が拡開し、支点軸１２と軸受９との嵌合が外れる。このため、蓋６の回動支点部である軸受９や支点軸１２の破損が防止される。【選択図】    図１
2005237796.tif 000002
【特許請求の範囲】
【請求項１】
本体ケース内に集塵室が形成され、前記集塵室を閉止する閉止位置と前記集塵室を開放する開放位置とに回動可能に蓋が前記本体ケースに取り付けられた電機掃除機において、
前記本体ケースに設けられた一対の軸受と、
前記蓋の両側に設けられ、前記軸受に回動可能に嵌合された一対の支点軸と、
前記本体ケースに設けられ、開放位置へ回動した前記蓋に当接されてこの蓋の回動範囲を規制するストッパーと、
を有し、
前記軸受は、嵌合された前記支点軸の外周面に対向する部分の一部に開口部を有し、この開口部の間隔が前記支点軸の外径寸法より小さくなる縮径状態と大きくなる拡開状態とに可変可能な可撓性を有するＣリング形状に形成され、
前記開口部は、開放位置へ回動して前記ストッパーに当接した前記蓋に対して閉止方向と逆方向に回動させる向きの力が作用したとき、前記蓋と前記ストッパーとの当接箇所を支点として移動する前記支点軸により押圧されて拡開することにより前記支点軸と前記軸受との嵌合が外れる位置に位置付けられていることを特徴とする電気掃除機。
【請求項２】
本体ケース内に集塵室が形成され、前記集塵室を閉止する閉止位置と前記集塵室を開放する開放位置とに回動可能に蓋が前記本体ケースに取り付けられた電機掃除機において、
前記蓋の両側に設けられた一対の軸受と、
前記本体ケースに設けられ、前記軸受に回動可能に嵌合された支点軸と、
前記本体ケースに設けられ、開放位置へ回動した前記蓋に当接してこの蓋の回動範囲を規制するストッパーと、
を有し、
前記軸受は、嵌合された前記支点軸の外周面に対向する部分の一部に開口部を有し、この開口部の間隔が前記支点軸の外径寸法より小さくなる縮径状態と大きくなる拡開状態とに可変可能な可撓性を有するＣリング形状に形成され、
前記開口部は、開放位置へ回動して前記ストッパーに当接した前記蓋に対して閉止方向と逆方向に回動させる向きの力が作用したとき、前記蓋と前記ストッパーとの当接箇所を支点として移動する前記軸受が前記支点軸に押圧されて拡開することにより前記軸受と前記支点軸との嵌合が外れる位置に位置付けられていることを特徴とする電気掃除機。
【請求項３】
前記開口部の両側の縁部にガイド部が設けられ、これらのガイド部は前記開口部の幅寸法より拡開する向きに延出していることを特徴とする請求項１又は２記載の電気掃除機。
【請求項４】
本体ケース内に集塵室が形成され、前記集塵室を閉止する閉止位置と前記集塵室を開放する開放位置とに回動可能に蓋が前記本体ケースに取り付けられた電機掃除機において、
前記本体ケースに設けられた一対の半球状の窪み部と、
前記蓋の両側に設けられた可撓性を有する一対のアーム部と、
前記アーム部に設けられ、前記窪み部に嵌合された凸状軸部と、
前記本体ケースに設けられ、開放位置へ回動した前記蓋に当接されてこの蓋の回動範囲を規制するストッパーと、
を有することを特徴とする電気掃除機。
【請求項５】
前記本体ケースに、前記窪み部に連続した前記窪み部より浅い深さ寸法のガイド溝が形成され、
前記ガイド溝は、開放位置へ回動して前記ストッパーに当接している前記蓋に対して閉止方向と逆方向に回動させる向きの力が作用したとき、前記蓋と前記ストッパーとの当接箇所を支点として移動する前記凸状軸部の移動方向に向けて形成されていることを特徴とする電気掃除機。
【請求項６】
前記ガイド溝は、前記窪み部から離れるにつれて深さ寸法が次第に深くなっていることを特徴とする請求項５記載の電気掃除機。
【請求項７】
本体ケース内に集塵室が形成され、前記集塵室を閉止する閉止位置と前記集塵室を開放する開放位置とに回動可能に蓋が前記本体ケースに取り付けられた電機掃除機において、
前記蓋の両側に設けられた可撓性を有する一対のアーム部と、
前記アーム部に設けられた半球状の窪み部と、
前記本体ケースに設けられ、前記窪み部に嵌合された凸状軸部と、
前記本体ケースに設けられ、開放位置へ回動した前記蓋に当接されてこの蓋の回動範囲を規制するストッパーと、
を有することを特徴とする電気掃除機。
【請求項８】
前記アーム部に、前記窪み部に連続した前記窪み部より浅い寸法のガイド溝が形成され、
前記ガイド溝は、開放位置へ回動して前記ストッパーに当接した前記蓋に対して前記ストッパーに押圧されて回動する向きの力が作用したとき、前記蓋と前記ストッパーとの当接箇所を支点として移動する前記窪み部の移動方向と反対方向に向けて形成されていることを特徴とする電気掃除機。
【請求項９】
前記ガイド溝は、前記窪み部から離れるにつれて深さ寸法が次第に深くなっていることを特徴とする請求項８記載の電気掃除機。
【発明の詳細な説明】
【技術分野】
【０００１】
本発明は、集塵室を閉止する閉止位置と集塵室を開放する開放位置とに回動可能である蓋を備えた電気掃除機に関する。
【背景技術】
【０００２】
集塵室を備えた電気掃除機では、集塵室を閉止する閉止位置と集塵室を開放する開放位置とに回動可能に蓋が設けられており、蓋を開放位置へ回動した後、集塵室内の集塵袋の交換等を行う。開放位置へ回動された蓋は、ストッパーに当接されることにより当該開放位置で保持される。
【発明の開示】
【発明が解決しようとする課題】
【０００３】
蓋を開放位置へ回動させている場合において、不注意などによって蓋にその開放位置から閉止方向と逆向きに力を加えてしまう場合や、開放位置へ回動している蓋を把持して電気掃除機を持ち上げてしまう場合等がある。
【０００４】
このような場合、開放位置に回動してストッパーに当接している蓋に対し、閉止方向と逆向きに過大な力が作用し、蓋の回動支点部が破損することがある。
【０００５】
本発明の目的は、開放位置に回動してストッパーに当接している蓋に対して閉止方向と逆方向に回動させる向きの力が作用した場合において、蓋の回動支点部の破損を防止することである。
【０００６】
本発明の別の目的は、本体ケースから外れた蓋の本体ケースへの取り付けを容易に行えるようにすることである。
【課題を解決するための手段】
【０００７】
本発明の電気掃除機では、本体ケース内に集塵室が形成され、前記集塵室を閉止する閉止位置と前記集塵室を開放する開放位置とに回動可能に蓋が前記本体ケースに取り付けられた電機掃除機において、前記本体ケースに一対の軸受を設け、前記蓋の両側に設けられた一対の支点軸を前記軸受に回動可能に嵌合し、開放位置へ回動した前記蓋に当接されてこの蓋の回動範囲を規制するストッパーを本体ケースに設ける。この軸受を、嵌合された前記支点軸の外周面に対向する部分の一部に開口部を有し、この開口部の間隔が前記支点軸の外径寸法より小さくなる縮径状態と大きくなる拡開状態とに可変可能な可撓性を有するＣリング形状に形成する。開口部が形成される位置は、開放位置へ回動して前記ストッパーに当接した前記蓋に対して閉止方向と逆方向に回動させる向きの力が作用したとき、前記蓋と前記ストッパーとの当接箇所を支点として移動する前記支点軸により押圧されて拡開され、前記支点軸と前記軸受との嵌合が外れる位置とされている。
【０００８】
したがって、蓋が開放位置へ回動してストッパーに当接されることにより蓋は開放位置で保持され、当該開放位置で保持されている蓋に対して閉止方向と逆方向に回動させる向きの力が作用すると、蓋とストッパーとの当接箇所を支点として移動する支点軸により軸受が押圧され、この押圧により開口部が拡開され、軸受に嵌合されている支点軸が軸受から外れる。
【発明の効果】
【０００９】
本発明の電気掃除機によれば、開放位置に回動してストッパーに当接している蓋に対して閉止方向と逆向きの力が作用した場合には、軸受と支点軸との嵌合が外れるので、蓋の回動支点部である軸受や支点軸の破損を防止することができる。
【発明を実施するための最良の形態】
【００１０】
本発明の第１の実施の形態を図１ないし図４に基づいて説明する。図１は電気掃除機の概略構造を示す側面図、図２は軸受を示す斜視図、図３は支点軸を示す斜視図、図４は支点軸と軸受との嵌合状態を示す側面図である。
【００１１】
電気掃除機１は、下部ケース２ａと上部ケース２ｂとからなる本体ケース２を有し、この本体ケース２内には、電動送風機や駆動制御部（図示せず）が設けられ、集塵したゴミを収納する集塵室３が形成されている。電動送風機を駆動させることにより図示しない吸込口体や吸込ホースを介してゴミが集塵され、集塵されたゴミが集塵室３内に収納される。集塵室３内には着脱可能に紙パックがセットされ、集塵室３内に収納されたゴミは紙パック内に溜められる。下部ケース２ａの下側には、前輪４と後輪５とが取り付けられている。
【００１２】
上部ケース２ｂには蓋６が回動可能に取り付けられている。この蓋６は、集塵室３を閉止する閉止位置と集塵室３を開放する開放位置とへ回動可能に設けられている。図１の実線で示した蓋６は開放位置へ回動させた状態、図１の仮想線で示した蓋６は閉止位置へ回動させた状態である。上部ケース２ｂにはストッパー７が設けられ、開放位置へ回動した蓋６はこのストッパー７に当接することにより当該開放位置で保持され、それ以上開放方向へ回動することが規制される。
【００１３】
図２に示すように、上部ケース２ｂの横幅方向の両側には（但し、図面では片側のみを示す）取付用突起８が形成され、これらの取付用突起８に軸受９がネジ１０により固定されている。軸受９は、リン青銅等の金属板金により形成され、一部に開口部１１を有するＣリング形状に形成された軸受本体部９ａと、開口部１１の片側の縁部から延出したアーム部９ｂとから形成されている。ネジ１０はアーム部９ｂに取り付けられている。このアーム部９ｂの一部は、開放位置へ回動した蓋６が当接するストッパー７とされている。
【００１４】
図３に示すように、蓋６の横幅方向の両側には（但し、図面では片側のみを示す）、円柱状の支点軸１２が設けられている。これらの支点軸１２は、蓋６に設けられたアーム部１３の先端に設けられ、蓋６、アーム部１３及び支点軸１２はＡＢＳ樹脂により一体に形成されている。アーム部１３は蓋６の一部として機能する部分であり、蓋６を開放位置へ回動させたときに、このアーム部１３がストッパー７に当接する。
【００１５】
図４に示すように、支点軸１２が軸受９の軸受本体部９ａに回動可能に嵌合されている。この嵌合により、蓋６が閉止位置と開放位置との間で回動可能とされている。軸受９はリン青銅等の金属板金により形成され、Ｃリング形状に形成された軸受本体部９ａは可撓性を有し、この可撓性によって開口部１１の間隔が縮径状態と拡開状態とに可変可能となっている。なお、軸受９の開口部１１は、外力が作用しない通常時には縮径状態となっている。
【００１６】
また、図４は、開口部１１が縮径状態である場合を示している。この状態において、支点軸１２の外径寸法ａが８ｍｍ、軸受本体部９ａの内径寸法ｂが８．２ｍｍ、開口部１１の幅寸法ｃは支点軸１２の外径寸法ａより小さく設定されている。軸受９の板厚寸法ｔは１ｍｍである。
【００１７】
このような構成において、電気掃除機１の横幅方向の両側において、支点軸１２が軸受９（必要に応じて、軸受本体部９ａと表現する）に回動可能に嵌合されることにより、蓋６は開放位置と閉止位置との間で回動可能とされている。
【００１８】
蓋６が図１の実線で示す開放位置に回動し、蓋６の一部であるアーム部１３がストッパー７に当接することにより蓋６が当該開放位置で保持されているときに、蓋６に対して閉止方向と逆方向（図４の矢印Ａ方向）に回動させる向きの力が作用すると、アーム部１３とストッパー７との当接箇所を支点として支点軸１２には矢印Ｂ方向に移動する向きの力が発生する。この力により、軸受本体部９ａの内周面が支点軸１２により押圧され、この押圧により、軸受本体部９ａが開口部１１の間隔を拡開するように撓む。そして、開口部１１の間隔が、支点軸１２が通過可能となる間隔に拡開したときに支点軸１２が開口部１１を通過し、支点軸１２と軸受本体部９ａとの嵌合が外れる。これにより、蓋６が本体ケース２から外れる。
【００１９】
このため、開放位置に回動して当該開放位置で保持されている蓋６に対して閉止方向と逆方向に回動させる向きの力が作用した場合には、支点軸１２と軸受本体部９ａとの嵌合が外れ、蓋６が本体ケース２から外れるので、蓋６の回動支点部となっている軸受９や支点軸１２の破損が防止される。
【００２０】
外れた蓋６を本体ケース２に取り付ける場合は、支点軸１２を開口部１１にあてがい、蓋６に対して支点軸１２を軸受本体部９ａ内に押し込む向きに力を加える。これにより、開口部１１が拡開して支点軸１２が軸受本体部９ａに入り込み、支点軸１２と軸受本体部９ａとが嵌合され、蓋６が本体ケース２に取り付けられる。
【００２１】
本発明の第２の実施の形態を図５ないし図８に基づいて説明する。なお、本実施の形態及び以下に説明する他の実施の形態において、先行して説明した実施の形態と同じ部分は同じ符号で示し、説明も省略する。図５は電気掃除機の概略構造を示す側面図、図６は支点軸を示す斜視図、図７は軸受を示す斜視図、図８は支点軸と軸受との嵌合状態を示す側面図である。
【００２２】
本実施の形態の電気掃除機２１の基本的構造は第１の実施の形態の電気掃除機１と同じであり、下部ケース２ａと上部ケース２ｂとからなる本体ケース２を有し、本体ケース２内に集塵室３が形成され、この集塵室３を閉止する閉止位置と集塵室３を開放する開放位置とへ回動可能に蓋６が取り付けられている。上部ケース２ｂにはストッパー２２が設けられ、開放位置へ回動した蓋６はこのストッパー２２に当接することにより当該開放位置で保持され、それ以上開放方向へ回動することが規制される。
【００２３】
図６に示すように、上部ケース２ｂの横幅方向の両側には（但し、図面では片側のみを示す）、ストッパー２２と支点軸２３とが形成されている。これらのストッパー２２と支点軸２３とは上部ケース２ｂと一体にＡＢＳ樹脂により形成されている。
【００２４】
図７に示すように、蓋６の横幅方向の両側には（但し、図面では片側のみを示す）、軸受２４がネジ２５により固定されている。軸受２４は、リン青銅等の金属板金により形成され、一部に開口部２６を有するＣリング形状に形成された軸受本体部２４ａと、開口部２６の片側の縁部から延出したアーム部２４ｂとから形成され、アーム部２４ｂがネジ２５により蓋６に固定されている。蓋６を開放位置へ回動させたとき、蓋６の一部となる軸受２４のアーム部２４ｂがストッパー２２に当接する。
【００２５】
図８に示すように、支点軸２３が軸受２４の軸受本体部２４ａに回動可能に嵌合されている。この嵌合により、蓋６が閉止位置と開放位置との間で回動可能とされている。軸受２４はリン青銅等の金属板金により形成され、Ｃリング形状に形成された軸受本体部２４ａは可撓性を有し、この可撓性によって開口部２６の間隔が縮径状態と拡開状態とに可変可能となっている。なお、軸受２４の開口部２６は、外力が作用しない通常時には縮径状態となっている。
【００２６】
また、図８は、開口部２６が縮径状態である場合を示している。この状態において、支点軸２３の外径寸法ａが８ｍｍ、軸受本体部２４ａの内径寸法ｂが８．２ｍｍ、開口部２６の幅寸法ｃが５ｍｍである。軸受２４の板厚寸法ｔが１ｍｍである。
【００２７】
このような構成において、電気掃除機２１の横幅方向の両側において、支点軸２３が軸受２４（必要に応じて、軸受本体部２４ａと表現する）に回動可能に嵌合されることにより、蓋６は開放位置と閉止位置との間で回動可能とされている。
【００２８】
蓋６が図５の実線で示す開放位置に回動し、蓋６の一部であるアーム部２４ｂがストッパー２２に当接することにより蓋６が当該開放位置で保持されているときに、蓋６に対して閉止方向と逆方向（図８の矢印Ａ方向）に回動させる向きの力が作用すると、アーム部２４ｂとストッパー２２との当接箇所を支点として軸受本体部２４ａには矢印Ｃ方向に移動する向きの力が発生する。この力により、軸受本体部２４ａの開口部２６側の内周面が支点軸２３の外周面に押圧され、この押圧により、軸受本体部２４ａは開口部２６の間隔が拡開するように撓む。そして、開口部２６の間隔が、支点軸２３が通過可能となる間隔に拡開したときに軸受本体部２４ａと支点軸２３との嵌合が外れる。これにより、蓋６が本体ケース２から外れる。
【００２９】
このため、開放位置に回動して当該開放位置で保持されている蓋６に対して閉止方向と逆方向に回動させる向きの力が作用した場合には、支点軸２３と軸受本体部２４ａとの嵌合が外れ、蓋６が本体ケース２から外れるので、蓋６の回動支点部となっている軸受２４や支点軸２３の破損が防止される。
【００３０】
外れた蓋６を本体ケース２に取り付ける場合は、開口部２６を支点軸２３の外周面にあてがい、蓋６に対して軸受本体部２４ａ内に支点軸２３が入り込むように力を加える。これにより、開口部２６が拡開して支点軸２３が軸受本体部２４ａに入り込み、支点軸２３と軸受本体部２４ａとが嵌合され、蓋６が本体ケース２に取り付けられる。
【００３１】
本発明の第３の実施の形態を図９に基づいて説明する。図９は、軸受の形状を示す側面図である。
【００３２】
本実施の形態では、第２の実施の形態で説明した軸受２４における開口部２６の両側の縁部に、ガイド部３１ａ、３１ｂが設けられている。これらのガイド部３１ａ、３１ｂは軸受２４と一体に形成されている。片側のガイド部３１ｂはアーム部２４ｂが兼用されている。ガイド部３１ａ、３１ｂは、開口部２６の幅寸法より拡開する向きに延出されており、開口部２６の両側に縁部を結ぶ直線Ｌに対してガイド３１部ａ、３１ｂのなす角度θが、０°より大きく９０°より小さい角度、例えば、２０°となるように設定されている。
【００３３】
このような構成において、ガイド部３１ａ、３１ｂを設けることにより、支点軸２３と軸受本体部２４ａとを嵌合させる場合、支点軸２３をガイド部３１ａ、３１ｂによりガイドして開口部２６まで誘導することができ、支点軸２３と軸受本体部２４ａとを嵌合させる作業を容易に行うことができる。
【００３４】
本発明の第４の実施の形態を図１０及び図１１に基づいて説明する。図１０は電気掃除機の概略構造を示す側面図、図１１はその一部を示す縦断正面図である。
【００３５】
本実施の形態の電気掃除機４１の基本的構造は第１の実施の形態の電気掃除機１と同じであり、下部ケース２ａと上部ケース２ｂとからなる本体ケース２を有し、本体ケース２内に集塵室３が形成され、この集塵室３を閉止する閉止位置と集塵室３を開放する開放位置とへ回動可能に蓋６が取り付けられている。上部ケース２ｂにはストッパー２２が設けられ、開放位置へ回動した蓋６はこのストッパー２２に当接することにより当該開放位置で保持され、それ以上開放方向へ回動することが規制される。
【００３６】
図１１に示すように、上部ケース２ｂの横幅方向の両側には半球状の窪み部４２が形成されている。窪み部４２の直径寸法ｄが８．２ｍｍ、窪み部４２の深さ寸法ｅが４ｍｍである。
【００３７】
さらに、図１１に示すように、蓋６の横幅方向の両側には、リン青銅等の金属板金により形成されたアーム部４３の一端が熱溶着で固定され、これらのアーム部４３の他端にＡＢＳ樹脂で形成された凸状軸部４５が熱溶着で固定されている。凸状軸部４５は先端部が半球状に形成され、その直径寸法ｆが８ｍｍであり、窪み部４２に回動可能に嵌合されている。
【００３８】
このような構成において、電気掃除機４１の横幅方向の両側において、凸状軸部４５が窪み部４２に回動可能に嵌合されることにより、蓋６は開放位置と閉止位置との間で回動可能とされる。
【００３９】
蓋６が図１０の実線で示す開放位置に回動し、蓋６の一部であるアーム部４３がストッパー２２に当接することにより蓋６が当該開放位置で保持されているときに、蓋６に対して閉止方向と逆方向に回動させる向きの力が作用すると、凸状軸部４５と窪み部４２との嵌合部では、凸状軸部４５が窪み部４２から浮き上がる方向に力を受け、アーム部４３が拡開向きに弾性変形し、最終的には凸状軸部４５と窪み部４２との嵌合が外れる。これにより、蓋６が本体ケース２から外れる。
【００４０】
このため、開放位置に回動してその開放位置で保持されている蓋６に対して閉止方向と逆方向に回動させる向きの力が作用した場合には、凸状軸部４５と窪み部４２との嵌合が外れ、蓋６が本体ケース２から外れるので、蓋６の回動支点部となっている凸状軸部４５やアーム部４３の破損が防止される。
【００４１】
外れた蓋６を本体ケース２に取り付ける場合は、アーム部４３を拡開方向に撓ませ、凸状軸部４５の先端を上部ケース２ａの外周面に摺接させながら凸状軸部４５を窪み部４２に向けて移動させる。凸状軸部４５が窪み部４２に到達すると、アーム部４３の弾性により凸状軸部４５が窪み部４２に嵌合され、蓋６が本体ケース２に取り付けられる。
【００４２】
本発明の第５の実施の形態を図１２及び図１３に基づいて説明する。図１２は電気掃除機の概略構造を示す側面図、図１３はその一部を示す縦断正面図である。
【００４３】
本実施の形態の基本的構造は第４の実施の形態と同じであり、本実施の形態の電気掃除機５１では、第４の実施の形態で説明した窪み部４２に連続したガイド溝５２が上部ケース２ａの側面に形成されている。このガイド溝５２は、窪み部４２より浅く形成されている。また、ガイド溝５２の底面は断面形状が円弧状となる形状に形成されている。ガイド溝５２は、開放位置へ回動してストッパー２２に当接している蓋６に対して閉止方向と逆方向に回動させる向きの力が作用したとき、蓋６とストッパー２２との当接箇所を支点として移動する凸状軸部４５の移動方向に向けて形成されている。
【００４４】
このような構成において、蓋６が図１２の実線で示す開放位置に回動し、蓋６の一部であるアーム部４３がストッパー２２に当接することにより蓋６が当該開放位置で保持されているときに、蓋６に対して閉止方向と逆方向に回動させる向きの力が作用すると、凸状軸部４５と窪み部４２との嵌合部では、凸状軸部４５が窪み部４２から浮き上がる方向に力を受け、アーム部４３が拡開向きに弾性変形し、最終的には凸状軸部４５と窪み部４２との嵌合が外れる。これにより、蓋６が本体ケース２から外れる。
【００４５】
上部ケース２ａには窪み部４２に連続したガイド溝５２が形成され、このガイド溝５２は、開放位置へ回動してストッパー２２に当接している蓋６に対して閉止方向と逆方向に回動させる向きの力が作用したときに蓋６とストッパー２２との当接箇所を支点として移動する凸状軸部４５の移動方向に向けて形成されているので、開放位置に回動している蓋６に対して閉止方向と逆方向に過大な力が作用する前にガイド溝５２を使って凸状軸部４５と窪み部４２との嵌合を外すことができ、蓋６の回動支点部となっている凸状軸部４５やアーム部４３の破損防止効果を高めることができる。
【００４６】
また、このガイド溝５２は、開放位置以外の回動位置に位置している蓋６に対して外力が作用したときに凸状軸部４５が移動する方向ではないので、蓋６が開放位置以外の位置に位置しているときに凸状軸部４５が窪み部４２から外れ易くなるという事態の発生を回避できる。
【００４７】
外れた蓋６を本体ケース２に取り付ける場合には、アーム部４３を拡開方向へ給わせて凸状軸部４５をガイド溝５２の端部に嵌合させ、凸状軸部４５がガイド溝５２上を窪み部４２に向けて移動する方向へ蓋６を押せばよい。このとき、アーム部４３を拡開方向へ撓ませる寸法が小さくなるので、外れた蓋６を本体ケース２に取り付ける作業を容易に行える。
【００４８】
本発明の第６の実施の形態を図１４に基づいて説明する。図１４は電気掃除機の一部を示す縦断正面図である。
【００４９】
本実施の形態の基本的構造は第５の実施の形態と同じであり、本実施の形態の電気掃除機６１では、第５の実施の形態で説明したガイド溝５２に代えて、ガイド溝６２を形成したものである。このガイド溝６２は、窪み部４２から離れてガイド溝６２の端部に向かうにつれ、深さ寸法が次第に深くなるように形成されている。２つのガイド溝６２の先端部の間隔ｇは、アーム部４３が撓みを生じていないときの２つの凸状軸部４５の先端部の間隔ｈより小さく設定されている。
【００５０】
このような構成において、外れた蓋６を本体ケース２に取り付ける場合、アーム部４３を拡開方向へ撓ませることなく凸状軸部４５をガイド溝６２の端部に嵌合させ、嵌合させた後は凸状軸部４５がガイド溝５２上を窪み部４２に向けて移動する方向へ蓋６を押せばよい。凸状軸部４５がガイド溝５２上を移動するにつれてアーム部４３が次第に拡開する方向に撓み、やがて、凸状軸部４５が窪み部４２が嵌合される。このため、外れた蓋６を本体ケース２に取り付ける際にアーム部４３を拡開方向へ撓ませる必要がなくなり、外れた蓋６を本体ケース２に取り付ける作業をより一層容易に行える。
【００５１】
本発明の第７の実施の形態を図１５及び図１６に基づいて説明する。図１５は電気掃除機の概略構造を示す側面図、図１６はその一部を示す縦断正面図である。
【００５２】
本実施の形態の電気掃除機７１の基本的構造は第１の実施の形態の電気掃除機１と同じであり、下部ケース２ａと上部ケース２ｂとからなる本体ケース２を有し、本体ケース２内に集塵室３が形成され、この集塵室３を閉止する閉止位置と集塵室３を開放する開放位置とへ回動可能に蓋６が取り付けられている。上部ケース２ｂにはストッパー２２が設けられ、開放位置へ回動した蓋６はこのストッパー２２に当接することにより当該開放位置で保持され、それ以上開放方向へ回動することが規制される。
【００５３】
図１６に示すように、上部ケース２ｂの横幅方向の両側には凸状軸部７２が形成され、凸状軸部７２は先端部が半球状に形成されている。
【００５４】
さらに、図１６に示すように、蓋６の横幅方向の両側には、リン青銅等の金属板金により形成されたアーム部７３の一端が熱溶着で固定され、これらのアーム部７３の他端にＡＢＳ樹脂で形成された窪み部保持部材７４が熱溶着で固定されている。窪み部保持部材７４には半球状の窪み部７５が形成され、この窪み部７５に凸状軸部７２が回動可能に嵌合されている。窪み部７５の深さ寸法ｅが４ｍｍである。
【００５５】
このような構成において、電気掃除機７１の横幅方向の両側において、凸状軸部７２が窪み部７５に回動可能に嵌合されることにより、蓋６は開放位置と閉止位置との間で回動可能とされる。
【００５６】
蓋６が図１５の実線で示す開放位置に回動し、蓋６の一部であるアーム部７３がストッパー２２に当接することにより蓋６が当該開放位置で保持されているときに、蓋６に対して閉止方向と逆方向に回動させる向きの力が作用すると、凸状軸部７２と窪み部７５との嵌合部では、窪み部保持部材７４が凸状軸部７２から浮き上がる方向に力を受け、アーム部７３が拡開向きに弾性変形し、最終的には凸状軸部７２と窪み部７５との嵌合が外れる。これにより、蓋６が本体ケース２から外れる。
【００５７】
このため、開放位置に回動してその開放位置で保持されている蓋６に対して閉止方向と逆方向に回動させる向きの力が作用した場合には、凸状軸部７２と窪み部７５との嵌合が外れ、蓋６が本体ケース２から外れるので、蓋６の回動支点部となっている窪み部７５、窪み部保持部材７４、アーム部７３等の破損が防止される。
【００５８】
外れた蓋６を本体ケース２に取り付ける場合は、アーム部７３を拡開方向に撓ませ、凸状軸部７２を窪み部７５に嵌合させることにより行う。
【００５９】
本発明の第８の実施の形態を図１７及び図１８に基づいて説明する。図１７は電気掃除機の概略構造を示す側面図、図１８はその一部を示す縦断正面図である。
【００６０】
本実施の形態の基本的構造は第７の実施の形態と同じであり、本実施の形態の電気掃除機８１では、第７の実施の形態で説明した窪み部７５に連続したガイド溝８２がアーム部７３の一部である窪み部保持部材７４に形成されている。このガイド溝８２は、窪み部７５より浅く形成されている。また、ガイド溝８２の底面は断面形状が円弧状となる形状に形成されている。ガイド溝８２は、開放位置へ回動してストッパー２２に当接している蓋６に対して閉止方向と逆方向に回動させる向きの力が作用したとき、蓋６とストッパー２２との当接箇所を支点として移動する窪み部７５の移動方向と反対方向に向けて形成されている。
【００６１】
このような構成において、蓋６が図１７の実線で示す開放位置に回動し、蓋６の一部であるアーム部７３がストッパー２２に当接することにより蓋６が当該開放位置で保持されているときに、蓋６に対して閉止方向と逆方向に回動させる向きの力が作用すると、凸状軸部７２と窪み部７５との嵌合部では、窪み部保持部材７４が凸状軸部７２から浮き上がる方向に力を受け、アーム部７３が拡開向きに弾性変形し、最終的には凸状軸部７２と窪み部７５との嵌合が外れる。これにより、蓋６が本体ケース２から外れる。
【００６２】
窪み部保持部材７４には窪み部７５に連続したガイド溝８２が形成され、このガイド溝８２は、開放位置へ回動してストッパー２２に当接している蓋６に対して閉止方向と逆方向に回動させる向きの力が作用したときに蓋６とストッパー２２との当接箇所を支点として移動する窪み部７５の移動方向と反対方向に向けて形成されているので、開放位置に回動している蓋６に対して過大な力が作用する前にガイド溝８２を使って凸状軸部７２と窪み部７５との嵌合を外すことができ、蓋６の回動支点部となっている窪み部７５、窪み部保持部材７４、アーム部７３等の破損防止効果を高めることができる。
【００６３】
また、このガイド溝８２は、開放位置以外の回動位置に位置している蓋６に対して外力が作用したときに窪み部７５が移動する方向と逆方向ではないので、蓋６が開放位置以外の位置に位置しているときに凸状軸部７２が窪み部７５から外れ易くなるという事態の発生を回避できる。
【００６４】
外れた蓋６を本体ケース２に取り付ける場合には、アーム部７３を拡開方向へ撓ませてガイド溝８２に凸状軸部７２を嵌合させ、凸状軸部７２がガイド溝８２上を窪み部７５に向けて移動する方向へ蓋６を押せばよい。このとき、アーム部７３を拡開方向へ撓ませる寸法が小さくなるので、外れた蓋６を本体ケース２に取り付ける作業を容易に行える。
【００６５】
本発明の第９の実施の形態を図１９に基づいて説明する。図１９は電気掃除機の一部を示す縦断正面図である。
【００６６】
本実施の形態の基本的構造は第８の実施の形態と同じであり、本実施の形態の電気掃除機９１では、第８の実施の形態で説明したガイド溝８２に代えて、ガイド溝９２を形成したものである。このガイド溝９２は、窪み部７５から離れてガイド溝９２の端部に向かうにつれ、深さ寸法が次第に深くなるように形成されている。２つのガイド溝９２の先端部の間隔ｇは、アーム部７３が撓みを生じていないときの２つの窪み部７５の底面部の間隔ｈより小さく設定されている。
【００６７】
このような構成において、外れた蓋６を本体ケース２に取り付ける場合、アーム部７３を拡開方向へ撓ませることなく凸状軸部７２をガイド溝９２の端部に嵌合させ、嵌合させた後は凸状軸部７２がガイド溝９２上を窪み部７５に向けて移動する方向へ蓋６を押せばよい。凸状軸部７２がガイド溝９２上を移動するにつれてアーム部７３が次第に拡開する方向に撓み、やがて、凸状軸部７２が窪み部７５が嵌合される。このため、外れた蓋６を本体ケース２に取り付ける際にアーム部７３を拡開方向へ撓ませる必要がなくなり、外れた蓋６を本体ケース２に取り付ける作業をより一層容易に行える。
【図面の簡単な説明】
【００６８】
【図１】本発明の第１の実施の形態の電気掃除機の概略構造を示す側面図である。
【図２】軸受を示す斜視図である。
【図３】支点軸を示す斜視図である。
【図４】支点軸と軸受との嵌合状態を示す側面図である。
【図５】本発明の第２の実施の形態の電気掃除機の概略構造を示す側面図である。
【図６】支点軸を示す斜視図である。
【図７】軸受を示す斜視図である。
【図８】支点軸と軸受との嵌合状態を示す側面図である。
【図９】本発明の第３の実施の形態の軸受の形状を示す側面図である。
【図１０】本発明の第４の実施の形態の電気掃除機の概略構造を示す側面図である。
【図１１】その一部を示す縦断正面図である。
【図１２】本発明の第５の実施の形態の電気掃除機の概略構造を示す側面図である。
【図１３】その一部を示す縦断正面図である。
【図１４】本発明の第６の実施の形態の電気掃除機の一部を示す縦断正面図である。
【図１５】本発明の第７の実施の形態の電気掃除機の概略構造を示す側面図である。
【図１６】その一部を示す縦断正面図である。
【図１７】本発明の第８の実施の形態の電気掃除機の概略構造を示す側面図である。
【図１８】その一部を示す縦断正面図である。
【図１９】本発明の第９の実施の形態の電気掃除機の一部を示す縦断正面図である。
【符号の説明】
【００６９】
１      電気掃除機
２      本体ケース
３      集塵室
６      蓋
７      ストッパー
９      軸受
１１      開口部
１２      支点軸
２１      電気掃除機
２２      ストッパー
２３      支点軸
２４      軸受
２６      開口部
３１ａ、３１ｂ  ガイド部
４１      電気掃除機
４２      窪み部
４３      アーム部
４５      凸状軸部
５１      電気掃除機
５２      ガイド溝
６１      電気掃除機
６２      ガイド溝
７１      電気掃除機
７２      凸状軸部
７３      アーム部
７５      窪み部
８１      電気掃除機
８２      ガイド溝
９１      電気掃除機
９２      ガイド溝
【図１】
2005237796.tif 000003
【図２】
2005237796.tif 000004
【図３】
2005237796.tif 000005
【図４】
2005237796.tif 000006
【図５】
2005237796.tif 000007
【図６】
2005237796.tif 000008
【図７】
2005237796.tif 000009
【図８】
2005237796.tif 000010
【図９】
2005237796.tif 000011
【図１０】
2005237796.tif 000012
【図１１】
2005237796.tif 000013
【図１２】
2005237796.tif 000014
【図１３】
2005237796.tif 000015
【図１４】
2005237796.tif 000016
【図１５】
2005237796.tif 000017
【図１６】
2005237796.tif 000018
【図１７】
2005237796.tif 000019
【図１８】
2005237796.tif 000020
【図１９】
2005237796.tif 000021